(57)【特許請求の範囲】
【請求項１】
識別すべき個体の識別データを取り込むデータ取込手段と、取り込んだ前記識別データの特徴を抽出して特徴データを生成するデータ抽出部と、前記抽出した特徴データを登録するためのデータ登録部とを備える個体識別装置において、
前記データ抽出部にて生成された特徴データと前記データ登録部の既登録の特徴データとを比較し、両特徴データの類似及び非類似を判定するデータ類似判定部と、
前記データ類似判定部にて類似すると判定された前記生成された特徴データの前記データ登録部への登録を回避する登録阻止部と、
前記登録阻止部にて登録の回避された前記特徴データを、個体に対し付与すべきＩＤカードに格納位置として示されている他のデータ登録部へ登録させる類似データ処理部とを備えることを特徴とする個体識別装置。
【発明の詳細な説明】
【０００１】
【発明の属する技術分野】
本発明は、個体識別装置に関し、特に個体の識別に用いるデータの登録構成を備える個体識別装置に関する。
【０００２】
【従来の技術】
研究所等の秘密保持を必要とする場所では、その入室に個人識別が必要となる。そこで、通常は個人の指紋や声紋等の特徴データを予め個体識別装置のデータ登録部に登録しておき、入室を要求している個人から得た現時点での特徴データと既登録の特徴データとを比較し、両特徴データが一致（又は類似）すると、入室を許可している。
ところで、従来の個体識別装置では、識別対象である個人の特徴データを、単にデータ登録部へ登録するだけであった。
【０００３】
【発明が解決しようとする課題】
しかし、個人の特徴データを単に登録処理するだけでは、データ登録部に類似した２以上の特徴データが登録されていた場合装置が誤識別する虞れがあった。
【０００４】
【課題を解決するための手段】
本発明は、以上の点を解決するため、次の構成を備える。
〈構成〉
本発明は、識別すべき個体の識別データを取り込むデータ取込手段と、取り込んだ前記識別データの特徴を抽出して特徴データを生成するデータ抽出部と、前記抽出した特徴データを登録するためのデータ登録部とを備える個体識別装置において、前記データ抽出部にて生成された特徴データと前記データ登録部の既登録の特徴データとを比較し、両特徴データの類似及び非類似を判定するデータ類似判定部と、前記データ類似判定部にて類似すると判定された前記生成された特徴データの前記データ登録部への登録を回避する登録阻止部と、前記登録阻止部にて登録の回避された前記特徴データを、個体に対し付与すべきＩＤカードに格納位置として示されている他のデータ登録部へ登録させる類似データ処理部とを備えることを特徴とする。
【０００５】
【発明の実施の形態】
以下、本発明の実施形態を図面を参照して詳細に説明する。
図１は本発明に係る個体識別装置のブロック図である。
この図１において、本発明の個体識別装置はデータ登録処理部１０を備えている。このデータ登録処理部１０は、例えば、パーソナルコンピュータから成り、装置全体を制御する制御部１１と、取り込んだデータを一時的に格納するためのメモリ部１２と、メモリ部１２に接続されているデータ抽出部１３と、このデータ抽出部１３から送られてくる特徴データの類否を判定するデータ類似判定部１４と、類似すると判定された特徴データの後処理を実行する類似データ処理部１５とを含んでいる。
【０００６】
制御部１１は登録阻止部１１Ａを有し、スキャナ１６及び表示部１７が接続されている。スキャナ１６は個人の指紋を識別画像データとして取り込むデータ取込手段である。表示部１７には、特徴データが類似する場合その登録を不可とする文字表示が行われる。
【０００７】
そして、データ登録処理部１０には、第１のデータ登録部（照合辞書）１８と、第２のデータ登録部（照合辞書）１９とが接続されている。第１のデータ登録部１８には、複数の個人データとしてその識別番号及び対応させた特徴データ等が登録されている。第２のデータ登録部１９には、類似と判定され特徴データ等が後述するように個人データとして登録される。
【０００８】
次に、本発明に係る個体識別装置の動作を図１及び図２を参照して説明する。先ず、識別（登録）すべき個人が自己の手の指、例えば、親指と人差し指を所定位置に位置決めすると、制御部１１はスキャナ１６に作動信号を送り、スキャナ１６を作動させる。これにより、両指の指紋画像データが識別データとして得られる（ステップＳ１）。制御部１１は得られた指紋画像データをメモリ部１２に一時的に格納させると共に、この指紋画像データをデータ抽出部１３に出力させる。
【０００９】
データ抽出部１３は各指の指紋画像データから指紋の特徴点を抽出し、特徴データを生成する（ステップＳ２）。即ち、画像データから指紋の特徴形状や紋の分岐数や分岐位置を検知し、特徴データを生成する。この特徴データはメモリ部１２に供給されて格納され（ステップＳ３）、かつ、データ類似判定部１４に供給される。
【００１０】
データ類似判定部１４は、特徴データを受信すると、第１のデータ登録部１８から既に登録されている特徴データを順次取り込み、受信した特徴データと既登録の特徴データとの類似度を比較する（ステップＳ４）。即ち、指紋に関する両特徴データが示す指紋形状、分岐位置及び分岐数等が、例えば、８０％以上一致すると類似すると判定し、８０％以下の場合非類似と判定する。
【００１１】
ここで、データ類似判定部１４は非類似と判定すると、非類似の判定信号を制御部１１に送出する。制御部１１はこの判定信号を受けると、類似特徴データが存在しないと判断し（ステップＳ５）、メモリ部１２から指紋画像データとその抽出データとを登録すべき個人の他の識別データと共に第１のデータ登録部１８に出力させ（ステップＳ６）、登録する。
【００１２】
これに対し、データ類似判定部１４が類似すると判定し、その判定信号を出力すると、制御部１１は類似特徴データが存在すると判断する（ステップＳ５）。これにより、登録阻止部１１Ａは表示部１７を制御してオペレータへの登録回避の警告を表示させると同時に（ステップＳ７）、第１のデータ登録部１８への登録を阻止する。
【００１３】
また、制御部１１は類似データ処理部１５を作動させる。これにより類似データ処理部１５はメモリ部１２から指紋画像データとその抽出データとを取り込み、登録すべき個人の他の識別データを付加して第２のデータ登録部１９に登録する。この場合この個人には、第２のデータ登録部１９がデータ格納位置であることを示すデータを付加したＩＤカードを作成し、渡すことになる。
尚、特徴データと共に登録される指紋画像データは、特徴データが何らかの原因で破壊された場合のバックアップとして利用する。
【００１４】
上記実施例において、第１のデータ登録部１８への登録を阻止した場合メモリ部１２のデータを消去し、登録の阻止された個人の他の指二本の指紋画像データを識別データとして取り込み、同一の登録若しくは不登録の処理を行ってもよい。
【００１５】
上記実施例では、指紋を画像データとして取り込んでいるが、目の虹彩を撮像して虹彩画像データを取り込んでもよく、その他声紋データや顔全体の画像データを識別データとして取り込むようにしてもよい。
また、馬等の動物の虹彩顆粒画像データやその他の動物の特徴を示す画像データを取り込んで動物の識別に利用することも可能である。
【００１６】
【発明の効果】
以上説明したように、本発明によれば、登録すべき特徴データと既登録の特徴データとを比較して類似する場合、この特徴データのデータ登録部への登録を阻止するようにしたので、誤認識を未然に防止し得る個体識別装置を提供できる。
【図面の簡単な説明】
【図１】本発明に係る個体識別装置の全体構成を示すブロック図である。
【図２】本発明に係る装置の動作フローチャートである。
【符号の説明】
１１  制御部
１１Ａ  登録阻止部
１３  データ抽出部
１４  データ類似判定部
１５  類似データ処理部
１６  スキャナ
１７  表示部
１８，１９  データ登録部
【図１】
0003596591.tif 000002
【図２】
0003596591.tif 000003